【手続補正書】
【提出日】平成19年7月4日(2007.7.4)
【手続補正１】
【補正対象書類名】特許請求の範囲
【補正対象項目名】全文
【補正方法】変更
【補正の内容】
【特許請求の範囲】
【請求項１】
２次元アレイ状に配置された複数個の光電変換素子と、
前記光電変換素子を行方向に走査する垂直シフトレジスタと、
前記光電変換素子を列方向に走査する水平シフトレジスタと、
前記垂直シフトレジスタ及び前記水平シフトレジスタの各レジスタ段をリセット電位に設定するリセット手段とを有する固体撮像装置において、
前記リセット手段は、
各前記シフトレジスタの１段目のレジスタ段をリセットする第１のリセット手段と、
各前記シフトレジスタの２段目以降のレジスタ段を前記各シフトレジスタのスタートパルスを用いてリセットする第２のリセット手段と、を有し、
前記第１のリセット手段によって前記垂直シフトレジスタ又は前記水平シフトレジスタの１段目のレジスタ段がリセット電位に設定されるタイミングと、前記第２のリセット手段によって２段目以降のレジスタ段がリセット電位に設定されるタイミングとが異なることを特徴とする固体撮像装置。
【請求項２】
前記リセット手段によるリセット動作において、
前記レジスタ段の１段目を除く前記レジスタ段２段目以降のリセット電位への設定は、各シフトレジスタのスタートパルスを利用し、前記レジスタ段１段目のリセット電位への設定は、電源投入時のみに入るパルスを利用することを特徴とする請求項１に記載の固体撮像装置。
【請求項３】
更に、前記固体撮像装置内に、前記垂直シフトレジスタ及び前記水平シフトレジスタのスタートパルス及びリセット時に用いるリセットパルスを生成する手段を有することを特徴とする請求項１又は２に記載の固体撮像装置。
【請求項４】
２次元アレイ状に配置された複数個の光電変換素子と、
前記光電変換素子で生成した信号を読み出すためのシフトレジスタと、
前記シフトレジスタの各レジスタ段をリセット電位に設定するリセット手段とを有する固体撮像装置において、
前記リセット手段は、
前記シフトレジスタの１段目のレジスタ段をリセット電位に設定するための第１のリセット手段と、２段目以降のレジスタ段をリセット電位に設定するための第２のリセット手段とを有し、
前記第２のリセット手段は、前記シフトレジスタのスタートパルスにより前記２段目以降のレジスタ段をリセット電位に設定することを特徴とする固体撮像装置。
【請求項５】
更に、前記固体撮像装置内に、前記シフトレジスタのスタートパルス及びリセット時に用いるリセットパルスを生成する手段を有することを特徴とする請求項４に記載の固体撮像装置。
【請求項６】
前記第１のリセット手段は、前記固体撮像装置の電源投入時のみに発生するパルスを用いてリセットを行なうことを特徴とする請求項４又は５に記載の固体撮像装置。
【請求項７】
請求項１〜６のいずれか１項に記載の固体撮像装置と、被写体の光学像を前記固体撮像装置に結像するレンズと、前記固体撮像装置からの信号を処理する信号処理手段とを有することを特徴とするカメラ。
【請求項８】
各レジスタ段をリセット電位に設定する手段を有するシフトレジスタにおいて、
前記シフトレジスタの１段目のレジスタ段をリセットする第１のリセット手段と、
各前記シフトレジスタの２段目以降のレジスタ段を前記各シフトレジスタのスタートパルスを用いてリセットする第２のリセット手段と、を有し、
前記第１のリセット手段によって前記シフトレジスタの１段目のレジスタ段がリセット電位に設定されるタイミングが、前記第２のリセット手段によって２段目以降のレジスタ段がリセット電位に設定されるタイミングと異なることを特徴とするシフトレジスタ。
【請求項９】
各レジスタ段をリセット電位に設定するリセット手段を有するシフトレジスタにおいて、
前記リセット手段は、
前記シフトレジスタの１段目のレジスタ段をリセット電位に設定するための第１のリセット手段と、２段目以降のレジスタ段をリセット電位に設定するための第２のリセット手段とを有し、
前記第２のリセット手段は、前記シフトレジスタのスタートパルスにより前記２段目以降のレジスタ段をリセット電位に設定することを特徴とするシフトレジスタ。
【請求項１０】
前記第１のリセット手段は、電源投入時のみに発生するパルスを用いて、リセットを行なうことを特徴とする請求項９に記載のシフトレジスタ。
【手続補正２】
【補正対象書類名】明細書
【補正対象項目名】００１６
【補正方法】変更
【補正の内容】
【００１６】
本発明の固体撮像装置は、上記目的を達成するため、２次元アレイ状に配置された複数個の光電変換素子と、前記光電変換素子を行方向に走査する垂直シフトレジスタと、前記光電変換素子を列方向に走査する水平シフトレジスタと、前記垂直シフトレジスタ及び前記水平シフトレジスタの各レジスタ段をリセット電位に設定するリセット手段とを有する固体撮像装置において、前記リセット手段は、各前記シフトレジスタの１段目のレジスタ段をリセットする第１のリセット手段と、各前記シフトレジスタの２段目以降のレジスタ段を前記各シフトレジスタのスタートパルスを用いてリセットする第２のリセット手段と、を有し、 前記第１のリセット手段によって前記垂直シフトレジスタ又は前記水平シフトレジスタの１段目のレジスタ段がリセット電位に設定されるタイミングと、前記第２のリセット手段によって２段目以降のレジスタ段がリセット電位に設定されるタイミングとが異なることを特徴とする。
【手続補正３】
【補正対象書類名】明細書
【補正対象項目名】００１７
【補正方法】変更
【補正の内容】
【００１７】
また、本発明の固体撮像装置は、２次元アレイ状に配置された複数個の光電変換素子と、前記光電変換素子で生成した信号を読み出すためのシフトレジスタと、前記シフトレジスタの各レジスタ段をリセット電位に設定するリセット手段とを有する固体撮像装置において、前記リセット手段は、前記シフトレジスタの１段目のレジスタ段をリセット電位に設定するための第１のリセット手段と、２段目以降のレジスタ段をリセット電位に設定するための第２のリセット手段とを有し、前記第２のリセット手段は、前記シフトレジスタのスタートパルスにより前記２段目以降のレジスタ段をリセット電位に設定することを特徴とする。
【手続補正４】
【補正対象書類名】明細書
【補正対象項目名】００１８
【補正方法】変更
【補正の内容】
【００１８】
また、本発明のシフトレジスタは、各レジスタ段をリセット電位に設定する手段を有するシフトレジスタにおいて、前記シフトレジスタの１段目のレジスタ段をリセットする第１のリセット手段と、各前記シフトレジスタの２段目以降のレジスタ段を前記各シフトレジスタのスタートパルスを用いてリセットする第２のリセット手段と、を有し、前記第１のリセット手段によって前記シフトレジスタの１段目のレジスタ段がリセット電位に設定されるタイミングが、前記第２のリセット手段によって２段目以降のレジスタ段がリセット電位に設定されるタイミングと異なることを特徴とする。
【手続補正５】
【補正対象書類名】明細書
【補正対象項目名】００１９
【補正方法】変更
【補正の内容】
【００１９】
また、本発明のシフトレジスタは、各レジスタ段をリセット電位に設定するリセット手段を有するシフトレジスタにおいて、前記リセット手段は、前記シフトレジスタの１段目のレジスタ段をリセット電位に設定するための第１のリセット手段と、２段目以降のレジスタ段をリセット電位に設定するための第２のリセット手段とを有し、前記第２のリセット手段は、前記シフトレジスタのスタートパルスにより前記２段目以降のレジスタ段をリセット電位に設定することを特徴とする。
【手続補正６】
【補正対象書類名】明細書
【補正対象項目名】００２０
【補正方法】削除
【補正の内容】